(57)【要約】【課題】各種設備の設置水準を維持しつつ、住居内の通気性を良好とすること。【解決手段】居住空間部１３と利便設備部１５とからなるワンルームタイプの住居ユニット１において、利便設備部１５の一部を高さ方向に仕切って開放性のロフト部２７を設ける。該ロフト部２７を除く利便設備部１５と居住空間部１３とは閉塞可能に区画される。居住空間部１３とロフト部２７の対向面に各々窓３１ａ、３３を設け、各窓３１ａ、３３の開口面積に大小の差をつける。ロフト部２７の延長線上にある居室１３の上層の空気ａは、下層の空気ｂに比し室内を早く移動する。このため室内上方が負圧になり、これにより室内に外気が強制流入する。【選択図】        図３
2005009081.tif 000002
【特許請求の範囲】
【請求項１】
居住空間部と利便設備部とからなるワンルームタイプの住居ユニットにおいて、上記利便設備部の一部を高さ方向に仕切って開放性のロフト部を設け、該ロフト部を除く利便設備部と居住空間部とは閉塞可能に区画され、上記居住空間部と上記ロフト部の対向面に各々窓を設け、各窓の開口面積に大小の差をつけることを特徴とする通気性住居ユニット。
【請求項２】
請求項１記載の通気性住居ユニットにおいて、上記ロフト部の下方に玄関・廊下部を設け、該玄関・廊下部と居住空間部とは開閉自在に接続することを特徴とする通気性住居ユニット。
【請求項３】
請求項１記載の通気性住居ユニットにおいて、上記居住空間部の窓を上記ロフト部の窓より大とすることを特徴とする通気性住居ユニット。
【請求項４】
請求項１記載の通気性住居ユニットにおいて、上記ロフト部は居住空間部側に出張りがないように形成することを特徴とする通気性住居ユニット。
【請求項５】
請求項１記載の通気性住居ユニットにおいて、上記ロフト部は居住空間部に対し高さが約１／３であることを特徴とする通気性住居ユニット。
【請求項６】
請求項１記載の通気性住居ユニットにおいて、上記居住空間部の開口は上方の天窓と下方の戸窓に分けていることを特徴とする通気性住居ユニット。
【発明の詳細な説明】
【０００１】
【発明の属する技術分野】
本願発明は、居住空間部と利便設備部とからなるワンルームタイプの通気性住居ユニットに関する。
【０００２】
【従来の技術】
住宅における換気・通気の重要性は今更言うまでもないが、換気が悪いとダニやカビの発生原因となり、住環境の悪化を招く。
【０００３】
しかしながら、従来においてはとくにワンルームタイプのアパート等の住宅においては、限られた空間の中で可及的に各種設備を充実させようとするあまり、通気性が十分でない場合が多かった。
【０００４】
このような状況を改善するには、一つには通気障害となるおそれのある設備を撤去することが考えられるが、アパートの集客に悪影響を与えるため現実的でない。
【０００５】
【発明が解決しようとする課題】
そこで、本願発明はアパート等の住宅の各種設備の設置水準を維持しつつ、住居内の通気性を良好とすることを目的とする。
【０００６】
【課題を解決するための手段】
上記目的達成のため、本願発明による通気性住居ユニットは、居住空間部と利便設備部とからなるワンルームタイプの住居ユニットにおいて、上記利便設備部の一部を高さ方向に仕切って開放性のロフト部を設け、該ロフト部を除く利便設備部と居住空間部とは閉塞可能に区画され、上記居住空間部と上記ロフト部の対向面に各々窓を設け、各窓の開口面積に大小の差をつけることを特徴とする。
また、請求項１記載の通気性住居ユニットにおいて、上記ロフト部の下方に玄関・廊下部を設け、該玄関・廊下部と居住空間部とは開閉自在に接続することを特徴とする。
また、請求項１記載の通気性住居ユニットにおいて、上記居住空間部の窓を上記ロフト部の窓より大とすることを特徴とする。
また、請求項１記載の通気性住居ユニットにおいて、上記ロフト部は居住空間部側に出張りがないように形成することを特徴とする。
また、請求項１記載の通気性住居ユニットにおいて、上記ロフト部は居住空間部に対し高さが約１／３であることを特徴とする。
また、請求項１記載の通気性住居ユニットにおいて、上記居住空間部の開口は上方の天窓と下方の戸窓に分けていることを特徴とする。
【０００７】
【発明の実施の形態】
次に、実施の形態を示す図面に基づき本願発明による通気性住居ユニットをさらに詳しく説明する。なお、便宜上同一の機能を奏する部分には同一の符号を付してその説明を省略する。図面に示す実施の形態は本願発明による通気性住居ユニットを上下に積層して２階建てとし、これによりアパート（全体図は省略）を建築した場合である。図１に示すように、各住居ユニット１は玄関側壁パネル３と、居室側サッシパネル５と、これらに直交する方向に連設される壁面パネル７と、床パネル９（図２に示す）と、天井パネル１１（図２に示す）とからなる。
【０００８】
このように構成される各住居ユニット１の内部は、居室をなす居住空間部１３と、利便設備部１５とに大別される。利便設備部１５は、右側の壁面パネル７に沿って、玄関１７及び該玄関１７に連接する廊下１９を設ける（上記玄関１７及び廊下１９を総称して玄関・廊下部２０という）。また左側の壁面パネル７に沿って、上記玄関・廊下部２０に隣接して浴室２１、便所２３及び収納庫２５を設ける。２５ａは該収納庫２５の開閉自在の戸、２０ａは開閉自在のドア、２０ｂは玄関・廊下部２０と収納庫２５を区画する隔壁である。上記玄関・廊下部２０の高さ方向上から約３分の１の部位にロフト板２７ａを設け、これにより玄関・廊下部２０の上部を仕切ってロフト部２７を形成する。該ロフト板２７ａは居住空間部１３側に出張らないように設けてある。２６は該ロフト部２７に昇降するため設けられる着脱自在のはしごである。
【０００９】
上記玄関・廊下部２０の浴室２１側には洗濯機用防水パン２８及び台所２９が設けられ、また収納庫２５側には冷蔵庫及び電子レンジ用スペース３０を設ける。
【００１０】
上記居住空間部１３と上記利便設備部１５とは、収納庫の戸２５ａ、隔壁２０ｂ及びドア２０ａにより閉塞可能に区画される。一方、上記ロフト部２７と上記居住空間部１３とは連通されている。
【００１１】
上記居住空間部１３と上記ロフト部２７の対向する外壁面には、夫々、窓３１ａ、３１ｂ、また窓３３を設ける。居住空間部１３側の窓は天窓３１ａと下方の戸窓３１ｂの上下２段に設けてある。上記窓３３は天窓３１ａに比し開口面積を小に形成する。
【００１２】
図２は図１で示した構成の住居ユニット１を上下に積層して２階建てとしてあることを示す。図２において、１階は図１（Ａ）ＩＩ−ＩＩ断面図を示し、２階は同ＩＩ’−ＩＩ’断面図を示す。３５は屋根ユニット、３６は各階の廊下ユニットである。なお、図面において階段ユニットは省略してある。図中３２はつけなげしである。
【００１３】
次に図３を参照して本願発明による通気の原理を説明する。図３（Ａ）に示すように、ロフト部２７の延長線上にある居室１３の上層の空気ａは、下層の空気ｂに比し室内を早く移動する。これは、ロフト部２７の形成及び窓開口３１ａ、３３に大小差があるため、下層の空気ｂが隔壁体（閉ドア２０ａ及び隔壁２０ｂ）に当たって渦巻き、移動に手間取っている間に上層の空気ａが移動するためである。
【００１４】
この結果、室内例えば居住空間部１３内の空気は上層気流ａと下層気流ｂの２層に分かれ、上層気流ａが早く移動することにより室内の上層が負圧になる。これにより、外気が室内に強制的に流入し、換気が簡単に行なわれる。
【００１５】
また外気の流れが窓に直交する方向の場合、窓の開口比が等しいときは室内の空気は移動しない。しかし、本願発明では窓３１ａ、窓３３の開口比が異なるため、このような場合でも、図３（Ｂ）に示すように、外気を引張り込むような感じで小開口の窓３３側から大開口の窓３１ａの方向に室内の空気が移動する。よって室内の上層が負圧になり換気が行なわれるのである。
【００１６】
風はどの方向から吹くか判らないが、本願発明によればこのように負圧による外気の強制流入となるため、外気流の方向性にかかわらず室内の通気・換気を確保することができる。
【００１７】
室内の空気は通常湿気を伴なっていることが多いので、換気により除湿をすることができる。これにより防カビ、防ダニ等に有利となるのである。
【００１８】
本願発明は上記した実施の形態に限定されることはない。例えば、ロフト部２７の居住空間部１３に対する高さ比は任意である。
【００１９】
各窓の開口面積につき、居住空間部１３側を大とするかロフト部２７側を大とするかは任意である。
【００２０】
居住空間部１３の窓は２段に分けていなくてもよい。
【００２１】
利便設備部１５の設備の具体的構成及び配置は適宜変えることができる。
【００２２】
本願発明を構成する建築物の材料は任意である。例えば、鉄骨製建築物、木造建築物、コンクリート製建築物にも適用することができる。
【００２３】
本願発明による通気性住居ユニットは、これを平屋として用いてもよいし、３階建て以上として用いてもよい。
【００２４】
上記天井パネル１１は上層階の床パネル９を兼ねることとしてもよい。
【００２５】
【発明の効果】
このように、本願発明による通気性住居ユニットによれば、室内上方を負圧とし、これにより室内に外気を強制流入することができるから、各種設備の設置水準を維持しつつ、住居内の通気性を良好とする効果がある。
【図面の簡単な説明】
【図１】本願発明による通気性住居ユニットの実施の形態を示し、（Ａ）は図２のＩ−Ｉ矢視図、（Ｂ）は図２のＩ’−Ｉ’矢視図である。
【図２】１階部分は図１（Ａ）のＩＩ−ＩＩ矢視図、２階部分は図１（Ａ）のＩＩ’−ＩＩ’矢視図を各示す。
【図３】本願発明による通気性住居ユニットの作用を説明するための概略図である。
【符号の説明】
１      住居ユニット
３      玄関側壁パネル
５      居室側サッシパネル
７      壁面パネル
９      床パネル
１１    天井パネル
１３    居住空間部
１５    利便設備部
１７    玄関
１９    廊下
２０    玄関・廊下部
２０ａ  ドア
２０ｂ  隔壁
２１    浴室
２３    便所
２５    収納庫
２５ａ  戸
２６    はしご
２７    ロフト部
２７ａ  ロフト板
２８    洗濯機用防水パン
２９    台所
３０    冷蔵庫及び電子レンジ用スペース
３１ａ  天窓
３１ｂ  戸窓
３２    つけなげし
３３    窓
３５    屋根ユニット
３６    廊下ユニット
【図１】
2005009081.tif 000003
【図２】
2005009081.tif 000004
【図３】
2005009081.tif 000005